(57)【特許請求の範囲】
【請求項１】
光を発生する発光素子と該発光素子を支持する支持部とを含む光源と、
複数の側面の中で少なくとも１つの入光面を通じて前記光を入射し、入射した前記光を上面を通じて出射する導光板と、
前記光を入射して映像を表示する表示パネルと、
前記光源と前記入光面との間を所定の距離離隔させる離隔部材と、
を含み、
前記発光素子の第１面は前記入光面に対向し、前記発光素子の第２面は前記支持部に埋め込まれている表示装置。
【請求項２】
前記離隔部材は前記導光板と一体に形成されることを特徴とする請求項１に記載の表示装置。
【請求項３】
前記離隔部材は前記入光面の少なくとも両端部から突出され、前記支持部と接触することを特徴とする請求項１に記載の表示装置。
【請求項４】
前記離隔部材は前記入光面に平行である突出面を有し、前記突出面は前記支持部と接触することを特徴とする請求項３に記載の表示装置。
【請求項５】
前記離隔部材は前記支持部と一体に形成されることを特徴とする請求項１に記載の表示装置。
【請求項６】
前記離隔部材は前記支持部から突出して前記入光面の両端部と接触することを特徴とする請求項５に記載の表示装置。
【請求項７】
前記導光板は面取りされた少なくとも１つのコーナー部を有し、前記入光面は前記面取りによって定義された前記導光板の側面であることを特徴とする請求項１に記載の表示装置。
【発明の詳細な説明】
【技術分野】
【０００１】
本発明はバックライトアセンブリを有する表示装置に関する。
【背景技術】
【０００２】
近年、発光ダイオード（ｌｉｇｈｔ  ｅｍｉｔｔｉｎｇ  ｄｉｏｄｅｓ（ＬＥＤ’ｓ））を光源として有するバックライトアセンブリ、及びこれを有する表示装置が開発されている。
【０００３】
発光ダイオードを有するバックライトアセンブリは冷陰極形蛍光ランプ（ＣＣＦＬ）を有するバックライトアセンブリより電力消費を抑制し、体積を減少させるのに容易であるだけでなく、高輝度の光（例えば、白色光）を発生させることができる。
【０００４】
しかし、バックライトアセンブリに発光ダイオードを光源として採用する場合、発光ダイオードで発生される熱によって、バックライトアセンブリ内部の温度が上昇する。バックライトアセンブリの内部温度が上昇すれば、発光ダイオードの発光効率が低下されるだけでなく、熱によって導光板が変形される。導光板の変形は映像に汚点を生じ、これにしたがって映像の品質が低下される。
【先行技術文献】
【特許文献】
【０００５】
【特許文献１】米国特許第７６１２８４１号公報
【発明の概要】
【発明が解決しようとする課題】
【０００６】
本発明は上記課題に鑑みてなされたものであって、表示品質を向上したバックライトアセンブリを具備する表示装置を提供することを目的とする。
【課題を解決するための手段】
【０００７】
本発明の一実施形態に係る表示装置は、光を出射する光源と、複数の側面の中で少なくとも１つの入光面を通じて前記光を受信し、受信した前記光が上面を通じて出力される導光板と、前記光を受信して映像を表示する表示パネルと、を含む。前記光源と前記導光板との間、又は前記光源の両側に所定の厚さを有するように配置されて前記光源と前記入光面との間を前記所定の厚さに対応する距離が同一であるか、或いは短い距離を離隔させる離隔部材が提供される。
【０００８】
本発明の一実施形態によれば、前記離隔部材は前記入光面の少なくとも両端部から突出させるか、或いは前記光源から突出される。本発明の他の実施形態によれば、前記離隔部材は前記回路基板の上に前記発光素子を介して、前記支持部の両側に前記支持部と離隔されて提供される。
【０００９】
本発明のその他の実施形態によれば、前記表示パネルと前記導光板とを収納するモールドフレームを含み、前記導光板と前記モールドフレームとの間に所定の厚さを有するように配置されて前記光源と前記入光面との間を前記所定の厚さに対応する距離が同一であるか、或いは短い距離ぐらい離隔させる離隔部材を含む。
【００１０】
本発明のその他の実施形態によれば、前記モールドフレームは前記光源、前記導光板、及び前記表示パネルを収納し、本体と、前記本体の上に配置され、前記光源と前記導光板とを離隔させる離隔部を含む。前記離隔部は前記入光面と接触する接触面と、前記一面から陥没されて前記光源を収納する溝とを含み、前記光源は前記入光面と離隔されて前記溝に配置される。
【発明の効果】
【００１１】
本発明によれば、バックライトアセンブリは光源と導光板との間を離隔させることによって光源から発生された熱が導光板に伝達しないようにして、光源から発生された熱によって導光板が溶ける現象が減少されるか、或いは防止されて表示装置の表示品質が向上される。
【図面の簡単な説明】
【００１２】
【図１】本発明の第１実施形態に係る表示装置を示す分解斜視図である。
【図２】図１に示した表示装置において、Ｉ−Ｉ’線に沿って切断した断面図であって、図１の表示装置を組立てた場合を示す図面である。
【図３】本発明の第１実施形態に係る表示装置のバックライトアセンブリの光源ユニットと導光板とを示す斜視図である。
【図４】図３に示すバックライトアセンブリの光源ユニットと導光板とを示す平面図である。
【図５】本発明の第２実形態に係る表示装置のバックライトアセンブリの光源ユニットと導光板とを示す平面図である。
【図６】本発明の第３実施形態に係る表示装置のバックライトアセンブリの光源ユニットと導光板とを示す斜視図である。
【図７】図６に示すバックライトアセンブリの光源ユニットと導光板とを示す平面図である。
【図８】本発明の第４実施形態に係る表示装置のバックライトアセンブリの光源ユニットと導光板とを示す斜視図である。
【図９】図８に示すバックライトアセンブリの光源ユニットと導光板とを示す平面図である。
【図１０】本発明の第５実施形態に係る表示装置のバックライトアセンブリの光源ユニットと導光板とを示す斜視図である。
【図１１】図１０に示すバックライトアセンブリの光源ユニットと導光板とを示す平面図である。
【図１２】本発明の第６実施形態に係る表示装置のバックライトアセンブリを示す斜視図である。
【図１３】図１２のＩＩ−ＩＩ’線に沿って切断し、表示パネルを含む表示装置を示す断面図である。
【図１４】図１２に示すバックライトアセンブリの光源ユニット、モールドフレーム、及び導光板を示す平面図である。
【発明を実施するための形態】
【００１３】
本発明は多様な変更を加えることができ、様々な形態を有することができるので、特定の実施形態を図面に例示し、図面に基づいて明細書中に詳細に説明する。しかし、これは本発明を特定の実施形態に対して限定しようとすることでなく、本発明の思想及び技術範囲に含まれる全てが変更、均等物あるいは代替物を含むこととして理解しなければならない。
【００１４】
各図面を参照しながら同様の参照符号を同様の構成要素に対して用いた。添付した図面において、各構成要素の寸法は本発明を明確に説明するために実際より拡大して示した。第１、第２等の用語は多様な構成要素を説明するために用いるが、構成要素は用語によって限定されない。用語は１つの構成要素を他の構成要素から区別する目的のみに用いられる。例えば、本発明の権利範囲を逸脱しない範囲で第１構成要素は第２構成要素と称され、同様に第２構成要素も第１構成要素と称される。単数の表現は文脈上に明確に異なるように意味しない限り、複数の表現を含む。
【００１５】
本発明で、“含む”又は“有する”等の用語は明細書に記載された特徴、数字、工程、動作、構成要素、部品、又はこれらを組合したことが存在することを指定しようとして、１つ又はそれ以上の他の特徴や数字、工程、動作、構成要素、部分品、又はそれらを組合したことの存在又は付加可能性を予め排除しないこととして理解しなければならない。また、層、膜、領域、板等の部分が他の部分“上に”あるとする場合、これは他の部分“真上に”ある場合のみでなく、その中間にその他の部分がある場合も含む。反対に層、膜、領域、板等の部分が他の部分“真下に”あるとする場合、これは他の部分“直ちに下に”にある場合のみでなく、その中間にその他の部分がある場合も含む。
【００１６】
以下、添付した図面を参照して本発明の望ましい実施形態をより詳細に説明する。
【００１７】
図１は本発明の第１実施形態に係る表示装置を示す分解斜視図である。図２は図１に示した表示装置において、Ｉ−Ｉ’線に沿って切断した断面図であり、図１の表示装置が組立られた場合を示す図面である。
【００１８】
図１及び図２を参照すれば、表示装置は表示パネル１２０、バックライトアセンブリ、及びトップシャーシ１１０を含む。
【００１９】
表示パネル１２０は映像を表示する。表示パネル１２０は受光形表示パネルとして、液晶表示パネル（ｌｉｑｕｉｄ  ｃｒｙｓｔａｌ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、エレクトロウェッティング表示パネル、ＭＥＭＳ（ｍｉｃｒｏｅｌｅｃｔｒｏｍｅｃｈａｎｉｃａｌ  ｓｙｓｔｅｍ）表示パネル等の多様な表示パネルであってもよい。以下、本実施形態では液晶表示パネルを例として説明する。
【００２０】
表示パネル１２０は長辺と短辺とを有する長方形の板状で設けられる。表示パネル１２０は複数の画素が具備されたアレイ基板１２１、アレイ基板１２１に対向する対向基板１２３、及びアレイ基板１２１と対向基板１２３との間に配置された液晶層（図示せず）を含む。また、アレイ基板１２１の上にはロー方向に延長された複数のゲートライン（図示せず）及びコラム方向に延長された複数のデータライン（図示せず）が形成される。アレイ基板１２１にはマトリックス状に複数の画素領域が定義され、複数の画素領域に対応して複数の画素が具備される。
【００２１】
各画素は薄膜トランジスタ（Ｔｈｉｎ  Ｆｉｌｍ  Ｔｒａｎｓｉｓｔｏｒ：ＴＦＴ）、及び画素電極を含む。ここで、ＴＦＴのゲート電極は複数のゲートラインの中で対応する１つのゲートラインに接続され、ＴＦＴのソース電極は複数のデータラインの中で対応する１つのデータラインに接続され、ＴＦＴのドレイン電極は画素電極に接続される。ＴＦＴは、選択的に適切な時間（例えば、行走査型１Ｈ期間中）において、画素電極に対応するデータ線の電圧を供給するためのスイッチング素子として動作する。
【００２２】
対向基板１２３は複数の画素に各々対応して具備されるＲＧＢカラーフィルタ（及び／又は別のカラーフィルタ）及びＲＧＢカラーフィルタの上に形成されて画素電極と対向する共通電極（図示せず）を具備する。液晶層は画素電極及び共通電極の間に形成された電界によって特定方向に配列されることによって、バックライトアセンブリから照射される光の透過度を調節する。
【００２３】
表示パネル１２０には駆動信号を供給する駆動チップ１２９、駆動チップ１２９が実装されるテープキャリヤーパッケージ（Ｔａｐｅ  Ｃａｒｒｉｅｒ  Ｐａｃｋａｇｅ：ＴＣＰ）１２７、及びＴＣＰ１２７を通じて表示パネル１２０に電気的に接続される印刷回路基板（ｐｒｉｎｔｅｄ  ｃｉｒｃｕｉｔ  ｂｏｒｄ：ＰＣＢ）１２５が配置される。
【００２４】
駆動チップ１２９は、外部信号に応答して表示パネル１２０を駆動するための駆動信号を発生する。外部信号は印刷回路基板１２５から供給された信号であり、外部信号には映像信号、各種制御信号及び駆動電圧等を含む。
【００２５】
表示パネル１２０は映像を表示するゲート信号及びデータ信号を必要とする。ここで、駆動チップ１２９は映像信号をデータ信号に変換して表示パネル１２０に伝送するデータドライバ（図示せず）を含む。本発明の実施形態における一例として、ゲート信号を生成するゲートドライバ（図示せず）はアレイ基板１２１の上に直接形成される。しかし、ゲートドライバはチップで構成され、アレイ基板１２１、又はＴＣＰ１２７の上に実装される。
【００２６】
バックライトアセンブリは表示パネル１２０に光を照射するため、表示パネル１２０の下部に配置される。バックライトアセンブリは光源ユニット１５０、バックカバー１６０、導光板１４０、離隔部材１４１Ｐ、光学シート１３０、反射シート１７０、及びモールドフレーム１８０を含む。
【００２７】
光源ユニット１５０は表示パネル１２０に光を照射する。光源ユニット１５０は光を出射する光源１５３、光源１５３が実装された回路基板１５１を含む。
【００２８】
バックカバー１６０は光源ユニット１５０を囲むように湾曲され、一側が開口された形状を有する。バックカバー１６０は光を反射させる材質、例として、アルミニウム（Ａｌ）を含み、光源１５３から出射された光を開口された一側に反射する。
【００２９】
バックカバー１６０は基低部１６０Ａ、基低部１６０Ａと平行であるカバー部１６０Ｃ、及び基低部１６０Ａとカバー部１６０Ｃとを連結する側面部１６０Ｂを含む。基低部１６０Ａには回路基板１５１が配置される。カバー部１６０Ｃは基低部１６０Ａと対向し、基低部１６０Ａとの間に回路基板１５１及び光源１５３を収容するための空間を提供する。
【００３０】
導光板１４０は方形プレート形状であり、光を屈折させる透明の物質を有する。導光板１４０はポリカーボネート（ｐｏｌｙｃａｒｂｏｎａｔｅ）や、ポリメチルメタクリラート（ｐｏｌｙｍｅｔｈｙｌｍｅｔｈａｃｒｙｌａｔｅ）等の透明な高分子樹脂を有する。
【００３１】
導光板１４０は光源１５３から発生された光を入光する入光面１４１と、入光した光の進行方向を変更して表示パネル１２０の方向に光を出射する出光面１４５を有する。即ち、導光板１４０は光源１５３から照射された光を表示パネル１２０側にガイドする。導光板１４０の一端部は光源１５３と入光面１４１とが対向するように回路基板１５１の上端に結合され、バックカバー１６０の内側に挿入される。
【００３２】
離隔部材１４１Ｐは光源１５３と導光板１４０との間に具備されて、光源１５３と入光面１４１との間に配置される。
【００３３】
光源ユニット１５０、導光板１４０、及び離隔部材１４１Ｐについては後述する。
【００３４】
光学シート１３０は導光板１４０と表示パネル１２０との間に配置される。光学シート１３０は光源ユニット１５０から出射する光を制御する役割を果たす。光学シート１３０は導光板１４０の上に順次積層された拡散シート１３１、プリズムシート１３３、及び保護シート１３５を含む。拡散シート１３１は光を拡散する役割を果たす。プリズムシート１３３は拡散シート１３１で拡散された光を上部の表示パネル１２０の平面と垂直になる方向に集光する役割を果たす。プリズムシート１３３を通過した光は大部分が表示パネル１２０に垂直に入射される。保護シート１３５はプリズムシート１３３の上に配置する。保護シート１３５はプリズムシート１３３を外部の衝撃から保護する。本実施形態では光学シート１３０が拡散シート１３１、プリズムシート１３３、及び保護シート１３５が一枚ずつ具備されたことを例として説明したが、これに限定されるわけではない。光学シート１３０は拡散シート１３１、プリズムシート１３３、及び保護シート１３５の中で少なくともいずれか１つを複数枚重ねて用いることができ、必要によっていずれか１つのシートを省略することもできる。
【００３５】
反射シート１７０は、導光板１４０の下部に具備され、表示パネル１２０方向に照射されない光を反射させて表示パネル１２０方向に光の経路を変更させるために設ける。
【００３６】
モールドフレーム１８０は方形のリング形状を有する。モールドフレーム１８０はバックカバー１６０が具備された領域に対応する領域に配置され、直線状である第１部分１８０Ａと、第１部分に連結された第２部分を有する。第１部分１８０Ａはバックカバー１６０のカバー部１６０Ｃの上に配置された第１側壁ＷＩと第１側壁Ｗ１の下端部から延長された第１底部Ｗ１Ｂ１を含む。第２部分１８０Ｂは第２側壁Ｗ２と第２側壁Ｗ２との下端部から延長された第２底部Ｗ２Ｂ２と、第１底部Ｗ１Ｂ１の上面と同一平面の上で第２側壁Ｗ２から延長された上面を有する第３底部Ｗ２Ｂ３を含む。モールドフレーム１８０には第１及び第２側壁Ｗ１、Ｗ２と第１及び第３底部Ｗ１Ｂ１、Ｗ２Ｂ３とによって提供された第１収納空間と、第１及び第２側壁Ｗ１、Ｗ２と第１及び第２底部Ｗ１Ｂ１、Ｗ２Ｂ２とによって提供された第２収納空間を有する。第１収納空間には表示パネル１２０が収納され、第２収納空間にはバックカバー１６０、光源ユニット１５０、光学シート１３０、導光板１４０、及び反射シート１７０が結合して形成された構造物が収納される。
【００３７】
トップシャーシ１１０は表示パネル１２０の上部に配置される。トップシャーシ１１０は表示パネル１２０の前面縁部を支持し、表示パネル１２０の表示領域を露出させる表示窓１１１が形成されている。
【００３８】
図３は本発明の第１実施形態に係る表示装置において、バックライトアセンブリの光源ユニット１５０と導光板１４０とを示す斜視図である。図４は図３に示すバックライトアセンブリの光源ユニット１５０と導光板１４０とを示す平面図である。
【００３９】
光源１５３は回路基板１５１の上に実装されて、回路基板１５１を通じて駆動電源を印加して光を発生する。図示しないが、回路基板１５１は電源供給部（図示せず）と電気的に接続されて電源供給部から駆動電源を印加して光源１５３側に伝達する。
【００４０】
回路基板１５１はフレキシブル回路フィルム（ｆｌｅｘｉｂｌｅ  ｐｒｉｎｔｅｄ  ｃｉｒｃｕｉｔ：ＦＰＣ）、両面フレキシブル回路フィルム、及び金属印刷回路基板（ｍｅｔａｌ  ｐｒｉｎｔｅｄ  ｃｉｒｃｕｉｔ  ｂｏａｒｄ：ＭＰＣＢ）のいずれか１つを含む。
【００４１】
光源１５３は光を出射する発光面１５３Ｆ（図４参照）を含む。光源１５３は発光ダイオードのような光源素子１５３Ｌと、光源１５３Ｌを支持する支持部１５３Ｓとを含み、光源素子１５３Ｌが配置されて光が出射される面が発光面１５３Ｆになる。光源素子１５３Ｌは支持部１５３Ｓに埋め込まれ、この場合の支持部１５３Ｓの一面から光を提供する。
【００４２】
導光板１４０は概ね直六面体形状を有し、互いに対向する面の中で、表示パネル１２０と平行になるように配置された上面と下面とが最も広い。導光板１４０は光源１５３に隣接する角部分が面取りされた少なくとも１つのコーナー部を有する。面取りによって定義された面を通じて光源１５３から出射された光が入射され、面取りによって定義された導光板１４０の側面は入射面１４１になる。導光板１４０は入光面１４１を通じて入光した光を上面に出射し、上面が出光面１４５になる。入光面１４１を除外した導光板１４０の側面１４３はバックカバー１６０、又はモールドフレーム１８０と直接的に接触してバックカバー１６０、又はモールドフレーム１８０の内部に収納されるか、或いは結合される。これによって、バックライトアセンブリに外部衝撃を加えても導光板１４０の流動が防止される。
【００４３】
離隔部材１４１Ｐは光源１５３と導光板１４０との間に具備され、所定の厚さを有する。
【００４４】
本発明の第１実施形態によれば、離隔部材１４１Ｐは導光板１４０と一体に形成されるが、これに限定されるわけではなく、光源１５３と導光板１４０との間に導光板１４０と別個の構成要素として提供されてもよい。
【００４５】
離隔部材１４１Ｐは導光板１４０の入光面１４１の両側に配置される。離隔部材１４１Ｐが導光板１４０と一体に形成される場合、離隔部材１４１Ｐは導光板１４０の入光面１４１の両側から所定の厚さ突出される。離隔部材１４１Ｐは入光面１４１と平行になり、発光面１５３Ｆに対向する前面を有し、前面が光源１５３と接触する。離隔部材１４１Ｐは光源素子１５３Ｌより支持部１５３Ｓに接触することよって、光源素子１５３Ｌから出射された光が損失無く入光面１４１に入射される。
【００４６】
ここで、離隔部材１４１Ｐが有する厚さを第１厚さＷＴ１とすれば、離隔部材１４１Ｐは入光面１４１から第１厚さＷＴ１突出し、入光面１４１は第１厚さＷＴ１に対応する第１距離Ｄ１、発光面１５３Ｆから離隔される。
【００４７】
本発明の第１実施形態によれば、発光面１５３Ｆと入光面１４１との間の離隔によって、光源素子１５３Ｌで発生する熱が接触によって入光面１４１に直接伝達されることを防止する。これによって、導光板１４０が光源素子１５３Ｌで発生する熱によって溶けるか、或いは変形される現象が減少されるか、或いは防止される。
【００４８】
本発明の第１実施形態では、光源１５３が導光板１４０の両角側に配置された例について説明したが、これに限定されるわけではない。例えば、他の実施形態では光源１５３は１個で導光板１４０の一角側に配置でき、その他の実施形態では光源１５３は３個以上で導光板１４０の角側に配置される。また、その他の実施形態では入光面１４１に対向する光源１５３が複数個で配置される。
【００４９】
以下、本発明の他の実施形態では重複された説明を避けるために第１実施形態と異なる点を中心に説明する。以下、実施形態で参照して説明しない部分は第１の実施形態に従う。図１と同一の符号は同一の構成要素を、類似の符号は類似の構成要素を示す。
【００５０】
図５は、本発明の第２実施形態に係る表示装置のバックライトアセンブリの光源ユニット１５０と導光板１４０とを示す平面図である。
【００５１】
図５を参照すれば、入光面１４１は入光面１４１から突出された複数の突出部１４１Ｃを有する。突出部１４１Ｃは導光板１４０の上面から下面方向に延長される。複数の突出部１４１Ｃは発光面１５３Ｆから出射されて入光面１４１を通じて導光板１４０側に照射される光を拡散させる。その結果、複数の突出部１４１Ｃによって導光板１４０全体領域に掛けて導光板１４０側に照射される光の量がより均一になる。ここで、互いに隣接する２つの突出部１４１Ｃの間の離隔距離は入光面１４１、又は発光面１５３Ｆの大きさによって調節される。また、離隔距離が調節される場合、離隔距離に対応して突出部１４１Ｃの突出高さも調節される。
【００５２】
本発明の実施形態によれば、離隔部材を多様に変更して製造でき、図６は本発明の第３実施形態に係る表示装置のバックライトアセンブリの光源ユニット１５０と導光板１４０とを示す斜視図である。図７は図６に示すバックライトアセンブリの光源ユニット１５０と導光板１４０とを示す平面図である。
【００５３】
図６と図７を参照すれば、離隔部材１５３Ｐは光源１５３と導光板１４０との間に具備される。本発明の第３の実施形態によれば、離隔部材１５３Ｐは光源１５３と一体に形成されるが、これに限定されるわけではない。例えば、離隔部材１５３Ｐは光源１５３と導光板１４０との間に光源１５３と別の構成要素として配置される。
【００５４】
離隔部材１５３Ｐは光源素子１５３Ｌを介して支持部１５３Ｓに対応する位置に配置される。離隔部材１５３Ｐが導光板１４０と一体に形成される場合、離隔部材１５３Ｐは光源素子１５３Ｌの両側の支持部１５３Ｓから所定の厚さ突出される。離隔部材１５３Ｐは発光面１５３Ｆと平行であり、入光面１４１に対向する前面を有し、前面が導光板１４０の入光面１４１の両側に接触する。離隔部材１５３Ｐは支持部１５３Ｓの上に配置されるので、これによって、光源素子１５３Ｌで出射された光が損失無く入光面１４１に入射される。
【００５５】
ここで、離隔部材１５３Ｐが有する厚さを第１厚さＷＴ１とすれば、離隔部材１５３Ｐは発光面１５３Ｆから第１厚さＷＴ１突出され、これによって発光面１５３Ｆは第１厚さＷＴ１に対応する第１距離Ｄ１入光面１４１から離隔される。
【００５６】
その結果、本発明の第３実施形態によれば、発光面１５３Ｆと入光面１４１との間の離隔によって光源素子１５３Ｌで発生する熱が接触によって入光面１４１に直接的に伝達されることを防止する。
【００５７】
図８は本発明の第４実施形態に係る表示装置のバックライトアセンブリの光源ユニット１５０と導光板１４０とを示す斜視図である。図９は図８に示すバックライトアセンブリの光源ユニット１５０と導光板１４０とを示す平面図である。
【００５８】
図８と図９を参照すれば、光源ユニット１５０は回路基板１５１と、回路基板１５１の上に実装された光源１５３、及び回路基板１５１の上に配置された離隔部材１５３Ｐを含む。離隔部材１５３Ｐは光源素子１５３Ｌを介して支持部１５３Ｓの両側に配置される。離隔部材１５３Ｐは支持部１５３Ｓから離隔されて配置され、方形柱の形状を有する。
【００５９】
離隔部材１５３Ｐは導光板１４０の入光面１４１に対向し、発光面１５３Ｆと平行な前面を有する。前面は発光面１５３Ｆの延長面から第１間隔Ｗ１入光面１４１方向に突出されている。前面は入光面１４１の両端と接触し、これによって、発光面１５３Ｆと入光面１４１とは第１間隔Ｗ１に対応する第１距離Ｄ１離隔される。
【００６０】
離隔部材１５３Ｐは熱伝導性が高い物質、例えば金属で形成される。離隔部材１５３Ｐが導電性物質で形成される場合には光源１５３で発生できる熱を効果的に下部の回路基板１５１に伝達する。回路基板１５１はバックカバー１６０の基底部１６０Ａに直接的に接触することによって、熱をバックカバー１６０に伝達する。
【００６１】
離隔部材１５３Ｐは導光板１４０の下面から上面までの距離に対応する高さを有することができる。さらに詳細に説明すれば、バックカバー１６０は一側が開口されて光源ユニット１５０と導光板１４０との一端を収納する。これによって、バックカバー１６０の基底部１６０Ａと蓋部１６０Ｃとの間の距離は導光板１４０の下面から上面までの距離に対応する。離隔部材１５３Ｐの高さが導光板１４０の下面から上面までの距離と同一である場合、離隔部材１５３Ｐはバックカバー１６０のカバー部６０Ｃに直接接触する。ここで、離隔部材１５３Ｐは熱伝導性が高い物質で形成される場合、バックカバー１６０に直接的に熱を伝達することによって、光源１５３で発生された熱を発散させる。特に、バックカバー１６０はアルミニウムで形成する場合、アルミニウムは熱伝導率が高いので、アルミニウムを通じて熱が効果的にバックライトアセンブリ外部に放出される。
【００６２】
ここで、本発明の第４実施形態では離隔部材１５３Ｐが方形柱の形状を有することを示したが、これに限定されるわけではない。離隔部材１５３Ｐは光源１５３の発光面１５３Ｆの延長面から入光面１４１方向に突出することによって、発光面１５３Ｆと入光面１４１との間の距離を維持できることで十分であり、多様な形状を有することができる。例えば、離隔部材１５３Ｐは円柱の形状を有してもよい。
【００６３】
上述したように、本発明の第４実施形態によれば、離隔部材１５３Ｐによってバックカバー１６０の基底部１６０Ａだけでなくカバー部１６０Ｃを通じて熱が伝達される。これによって、光源１５３から発生された熱によってバックライトアセンブリ内の温度が上昇することが防止され、その結果、導光板１４０が曲がる現象や溶ける現象を減少させるか、或いは防止する。また、光源１５３で発生した熱を直ちに外部に伝達できるので、追加の放熱板素材を必要としない。一般的な表示装置においては光源ユニット１５０と光源ユニット１５０の周辺構成要素との間の熱を放出するために、光源ユニット１５０の回路基板１５１の下部に放熱板パッド、又は放熱板テープを追加的に提供する場合が多い。しかし、回路基板の下面に放熱板パッドや放熱板テープを付着する場合には構造の上に熱伝達経路が複雑になって放熱板パッドや放熱板テープが無いときより熱抵抗が約３０℃／Ｗ以上増加する問題点があった。しかし、本発明の実施形態によれば、放熱板パッドや放熱板テープ無くて効果的な熱の発散が可能である。
【００６４】
図１０は、本発明の第５実施形態に係る表示装置のバックライトアセンブリの光源ユニット１５０と導光板１４０とを示す斜視図である。図１１は図１０に示すバックライトアセンブリの光源ユニット１５０と導光板１４０とを示す平面図である。
【００６５】
図１０と図１１とを参照すれば、離隔部材１４３Ａ、１４３Ｂは導光板１４０の入光面１４１と連結された他の側面１４３ＰＡ、１４３ＰＢに配置される。離隔部材１４３Ａ、１４３Ｂは導光板１４０と一体に形成されるが、これに限定されるわけではない。例えば、離隔部材は導光板１４０と別の構成要素として導光板１４０の側面に接触するように配置される。
【００６６】
導光板１４０の入光面１４１に隣接して入光面１４１の一側で入光面１４１と連結された側面を第１側面１４３ＰＡ、入光面１４１の他側で入光面１４１と連結された側面を第２側面１４３ＰＢとすれば、離隔部材１４３Ａ、１４３Ｂは各々第１側面１４３ＰＡ及び第２側面１４３ＰＢから突出された第１離隔部材１４３Ａ及び第２離隔部材１４３Ｂでなされる。第１離隔部材１４３Ａと第２離隔部材１４３Ｂとは各々第１側面１４３ＰＡと第２側面１４３ＰＢと平行である外部面を有する。組み立てる場合、第１側面１４３ＰＡ及び第２側面１４３ＰＢはモールドフレーム１８０の第１内壁Ｗ１Ｂ１及び第２内壁Ｗ２Ｂ２にはめ込まれる。回路基板１５１もまたモールドフレーム１８０の第１内壁Ｗ１Ｂ１及び第２内壁Ｗ２Ｂ２にはめ込まれる。
【００６７】
第１離隔部材１４３Ａの外部面はモールドフレーム１８０とバックカバー１６０の中でいずれか１つと対向して接触し、第２離隔部材１４３Ｂの外部面はモールドフレーム１８０とバックカバー１６０との中で余りの１つと対向して接触する。バックカバー１６０と接触する外部面はバックカバー１６０の側面部１６０Ｂに対向して直接接触する。モールドフレーム１８０と接触する外部面はモールドフレーム１８０の第１側壁Ｗ１に対向して直接接触する。これによって、第１離隔部材１４３Ａ、第２離隔部材１４３Ｂ、及び導光板１４０はモールドフレーム１８０とバックカバー１６０とによって安定的に固定される。
【００６８】
第１及び第２離隔部材１４３Ａ、１４３Ｂは第２厚さＷＴ２を有するように第１及び第２側面から各々突出される。これによって、第２厚さＷＴ２に対応する第２距離Ｄ２発光面１５３Ｆと入光面１４１との間が離隔される。第２厚さＷＴ２と第２距離とは同一な値を有しないが、第２距離Ｄ２は第２厚さＷＴ２の値に相応する特定値を有する。これによって、第２厚さＷＴ２を変更することによって、第２距離Ｄ２を調節することができる。
【００６９】
結果的に、離隔部材１４３Ａ、１４３Ｂは導光板１４０の入光面１４１ではない入光面１４１に連結された側面に配置されることによって、入光面１４１が最大の光源１５３の発光面１５３Ｆに露出されるようにすることと共に、入光面１４１と光源１５３の発光面１５３Ｆとの間を安定的に離隔させる。
【００７０】
上述したように、本発明の第５実施形態によれば、発光面１５３Ｆと入光面１４１との間の離隔によって、光源素子１５３Ｌで発生する熱が接触して入光面１４１に直接的に伝達されることを防止される。これによって、導光板１４０が光源素子１５３Ｌで発生する熱によって溶けるか、或いは変形される現象が減少されるか、或いは防止される。
【００７１】
図１２は、本発明の第６実施形態に係る表示装置のバックライトアセンブリを示す斜視図である。図１３は図１２のＩＩ−ＩＩ’線に沿って切断し、表示パネル１２０を含む全体表示装置を示した断面図である。
【００７２】
図１２及び図１３を参照すれば、本発明の第６実施形態に係る表示装置において、バックライトアセンブリは光源ユニット１５０、バックカバー１６０、導光板１４０、光学シート１３０、及びモールドフレーム１８０を含む。モールドフレーム１８０は第１モールドフレーム１８１と第２モールドフレーム１８５とを有する。
【００７３】
第１モールドフレーム１８１は方形のリング形状で配置される。モールドフレーム１８０はバックカバー１６０が具備された領域に対応する領域に配置され方形のリングの中でいずれか１つの辺として配置された第１部分１８１Ａと、第１部分１８１Ａに連結された第２部分１８１Ｂとを有する。
【００７４】
第１部分１８１Ａはバックカバー１６０の内側で収納される部分として、バックカバー１６０の基底部１６０Ａの上に配置される。第１部分１８１Ａはバックカバー１６０の側面部１６０Ｂと接触する第１側壁Ｗ１と第１側壁Ｗ１の下端部から延長され、バックカバー１６０の基底部１６０Ａと接触する第１底部Ｗ１Ｂ１を含む。
【００７５】
第２部分１８１Ｂは第２側壁Ｗ２と第２側壁Ｗ２の下端部から延長され、第１底部Ｗ１Ｂ１の上面と同一平面の上に配置された上面を有する第２底部Ｗ２Ｂ２と、所定の高さで第２側壁Ｗ２から突出された第３底部Ｗ２Ｂ３とを含む。
【００７６】
第２モールドフレーム１８５はバックカバー１６０の上に方形のリングの中でいずれか１つの辺に対応するように配置される。第２モールドフレーム１８５は第３側壁Ｗ３と第３側壁Ｗ３の下端部から延長された第４底部Ｗ３Ｂ４とを含む。第４底部Ｗ３Ｂ４は第１モールドフレーム１８１の第３底部Ｗ２Ｂ３と同一な平面の上に配置される。
【００７７】
第１モールドフレーム１８１の第１部分１８１Ａと第２部分１８１Ｂとは反射板１７０、導光板１４０、及び光源ユニット１５０を収納する。第１底部Ｗ１Ｂ１と第２底部Ｗ２Ｂ２は光源ユニット１５０の回路基板１５１及び反射板１７０の下面と接触して回路基板１５１と反射板１７０を下部から支持する。この時、第１モールドフレーム１８１には光源ユニット１５０の回路基板１５１が挿入される陥没部Ｗ１Ｒが形成され、回路基板１５１が第１モールドフレーム１８１の陥没部Ｗ１Ｒに挿入されて結合される。
【００７８】
第２モールドフレーム１８５と第１モールドフレーム１８１の第２部分１８０Ｂは表示パネル１２０を収納する。この時、第３底部Ｗ２Ｂ３と第４底部Ｗ３Ｂ４は表示パネルの下面と接触して表示パネル１２０を下部から支持する。
【００７９】
バックカバー１６０は第１モールドフレーム１８１の第１部分１８１Ａ及び光源ユニット１５０を囲むように湾曲され、一側が開口された形状を有する。バックカバー１６０は基底部１６０Ａ、基底部１６０Ａと平行なカバー部１６０Ｃ及び基底部１６０Ａとカバー部１６０Ｃとを連結する側面部１６０Ｂを含む。カバー部１６０Ｃは基底部１６０Ａと対向し、基底部１６０Ａとの間に回路基板１５１及び光源１５３を収容するための空間を提供する。空間には第１モールドフレーム１８１の第１部分１８１Ａ、光源ユニット１５０、及び導光板１４０の一端部が収納される。この時、基底部１６０Ａには第１モールドフレーム１８１の第１底部Ｗ１Ｂ１が結合され、側面部１６０Ｂには第１モールドフレーム１８１の第１側壁Ｗ１が接触する。
【００８０】
図１４は図１２に示すバックライトアセンブリの光源ユニット１５０、モールドフレーム１８０、及び導光板１４０を示す平面図である。
【００８１】
図１４を参照すれば、本発明の第６実施形態に係る表示装置において、第１モールドフレーム１８１の上に配置され、光源１５３と導光板１４０とを離隔させる離隔部１８１Ｐを有する。
【００８２】
離隔部１８１Ｐは第１モールドフレーム１８１の第１部分１８１Ａの一側部、詳細には光源１５３が配置され、導光板１４０の面取りされた角が配置される領域に隣接して配置される。離隔部１８１Ｐは導光板１４０の入光面１４１に対向して入光面１４１に接触する接触面１８１Ｆと、接触面１８１Ｆから陥没されて光源１５３を収納する溝１８１Ｈとを含む。溝１８１Ｈは光源１５３を収納するためのことであって、開口された方向に光源１５３の発光面１５３Ｆが配置される。これによって、入光面１４１に光が入射される。
【００８３】
離隔部１８１Ｐの接触面１８１Ｆは発光面１５３Ｆと平行な面から入光面１４１方向に突出される。接触面１８１Ｆは発光面１５３Ｆの延長面から第１厚さＷＴ１ぐらい入光面１４１方向に突出されている。接触面１８１Ｆは入光面１４１の両側と接触し、これによって、発光面１５３Ｆと入光面１４１とは第１間隔ＷＴ１に対応する第１距離Ｄ１ぐらい離隔される。
【００８４】
ここで、光源１５３は平面の上で第１モールドフレーム１８１と離隔されるように示したが、これに限定されるわけではない。光源１５３は発光面１５３Ｆを除外した側面の中で少なくともいずれか１つが第１モールドフレーム１８１の溝１８１Ｈの内壁と接触するように配置することができる。この場合、光源１５３が溝１８１Ｈ内部に安定的に固定される。
【００８５】
本発明の第６の実施形態によれば、発光面１５３Ｆと入光面１４１の離隔によって、光源素子１５３Ｌで発生する熱が接触によって入光面１４１に直接的に伝達されることを防止される。これによって、導光板１４０が光源素子１５３Ｌで発生する熱によって溶けるか、或いは変形される現象が減少されるか、或いは防止される。
【００８６】
以上、本発明の望ましい実施形態を参照して説明したが、該当技術分野の当業者又は該当技術分野に通常の知識を有する者であれば、後述される特許請求の範囲に記載された本発明の思想及び技術領域から逸脱しない範囲内で本発明を多様に修正及び変更させることが理解できる。したがって、本発明の技術的範囲は明細書の詳細な説明に記載された内容に限定されることでなく、特許請求の範囲によって定めなければならない。
【符号の説明】
【００８７】
１１０…トップシャーシ、１２０…表示パネル、１３０…光学シート、１４０…導光板、１４１…入光面、１４５…出光面、１５０…光源ユニット、１５１…回路基板、１５３…光源、１６０…バックカバー、１６０Ａ…基底部、１６０Ｂ…側面部、１６０Ｃ…カバー部、１７０…反射シート、１８０…モールドフレーム、１４１Ｐ、１４３Ａ、１４３Ｂ、１５３Ｐ…離隔部材、１８１Ｐ…離隔部。
【図１】
0005844107.tif 000002
【図２】
0005844107.tif 000003
【図３】
0005844107.tif 000004
【図４】
0005844107.tif 000005
【図５】
0005844107.tif 000006
【図６】
0005844107.tif 000007
【図７】
0005844107.tif 000008
【図８】
0005844107.tif 000009
【図９】
0005844107.tif 000010
【図１０】
0005844107.tif 000011
【図１１】
0005844107.tif 000012
【図１２】
0005844107.tif 000013
【図１３】
0005844107.tif 000014
【図１４】
0005844107.tif 000015